(57)【要約】      （修正有）【課題】サービス品質の低下を抑制しつつエナジーセービングを実現する方法を提供する。【解決手段】第１の基地局が、第１のセルの運用を停止するステップＡと、リレー装置が、無線信号を受信し且つ前記無線信号の中継を行わない待ち受けモードから、前記無線信号の中継を行う中継モードに動作モードを切り替えるステップＢと、前記第１のセルの運用が停止している場合、前記リレー装置と通信可能な第２の基地局が、前記中継モードに設定された前記リレー装置を介して、前記第１のセルのカバレッジを補うように第２のセルを拡張するステップＣと、を備える。【選択図】図９
2015104052.tif 000002
【特許請求の範囲】
【請求項１】
移動通信システムにおいて用いられる通信制御方法であって、
第１の基地局が、第１のセルの運用を停止するステップＡと、
リレー装置が、無線信号を受信し且つ前記無線信号の中継を行わない待ち受けモードから、前記無線信号の中継を行う中継モードに動作モードを切り替えるステップＢと、
前記第１のセルの運用が停止している場合、前記リレー装置と通信可能な第２の基地局が、前記中継モードに設定された前記リレー装置を介して、前記第１のセルのカバレッジを補うように第２のセルを拡張するステップＣと、を備えることを特徴とする通信制御方法。
【請求項２】
前記ステップＣの前において、前記第２の基地局が、前記待ち受けモードから前記中継モードに前記動作モードを切り替えるための切替情報を前記リレー装置に送信するステップをさらに備え、
前記ステップＢにおいて、前記リレー装置は、前記切替情報に基づいて、前記中継モードに前記動作モードを切り替えることを特徴とする請求項１に記載の通信制御方法。
【請求項３】
前記第２の基地局が、前記リレー装置を介した前記第２のセルの拡張を停止するステップＤと、
前記第２の基地局が、前記中継モードから前記待ち受けモードに前記動作モードを切り替えるための切替情報を前記リレー装置に送信するステップと、
前記ステップＤの後において、前記リレー装置が、前記切替情報に基づいて、前記中継モードから前記待ち受けモードに前記動作モードを切り替えるステップと、をさらに備えることを特徴とする請求項１に記載の通信制御方法。
【請求項４】
前記切替情報は、呼び出しに用いられるページングメッセージに含まれ、
前記リレー装置が、前記リレー装置宛て又は前記リレー装置を含むグループ宛てであることを示す識別情報を含む前記ページングメッセージをデコードして、前記切替情報を取得するステップをさらに備えることを特徴とする請求項２又は３に記載の通信制御方法。
【請求項５】
前記切替情報は、ＮＡＳメッセージを用いて送信され、
前記リレー装置が、前記リレー装置宛て又は前記リレー装置を含むグループ宛てであることを示す識別情報を含む前記ＮＡＳメッセージをデコードして、前記切替情報を取得するステップをさらに備えることを特徴とする請求項２又は３に記載の通信制御方法。
【請求項６】
前記第１のセルと前記第２のセルとは、異なる無線リソースを用いて運用され、
前記ステップＡにおいて、前記第１の基地局は、前記第１のセルに接続するユーザ端末を前記第１のセルから前記第２のセルにハンドオーバさせた後に、前記第１のセルの運用を停止することを特徴とする請求項１に記載の通信制御方法。
【請求項７】
前記第１の基地局は、前記第１のセル及び前記第１のセルと異なる無線リソースを用いて運用される第３のセルを運用し、
前記ステップＡにおいて、前記第１の基地局は、前記第１のセルに接続するユーザ端末を、前記第１のセルから前記第３のセルにハンドオーバさせた後に、前記第１のセルの運用を停止し、
前記ステップＡの後において、前記第１の基地局が、前記第３のセルに接続するユーザ端末を、前記第３のセルから前記第２のセルにハンドオーバさせた後、前記第３のセルの運用を停止するステップをさらに備えることを特徴とする請求項１に記載の通信制御方法。
【請求項８】
第１のセルを運用する第１の基地局と、第２の基地局とを有する移動通信システムにおいて用いられ、前記第２の基地局と通信可能なリレー装置であって、
無線信号を受信し且つ前記無線信号の中継を行わない待ち受けモードから、前記無線信号の中継を行う中継モードに前記動作モードを切り替える制御部を備え、
前記制御部は、前記中継モードが設定されている場合で、且つ、前記第１のセルの運用が停止している場合、前記第２のセルを拡張するための無線信号を、記第１のセルのカバレッジを補うように中継する制御を行うことを特徴とするリレー装置。
【請求項９】
前記待ち受けモードから前記中継モードに前記動作モードを切り替えるための切替情報を前記第２の基地局から受信する受信部をさらに備え、
前記制御部は、前記切替情報に基づいて、前記中継モードに前記動作モードを切り替えることを特徴とする請求項８に記載のリレー装置。
【請求項１０】
前記中継モードから前記待ち受けモードに前記動作モードを切り替えるための切替情報を前記第２の基地局から受信する受信部をさらに備え、
前記制御部は、前記第２の基地局が前記第２のセルの拡張を終了した後に、前記切替情報に基づいて、前記待ち受けモードに前記動作モードを切り替えることを特徴とする請求項８に記載のリレー装置。
【請求項１１】
前記切替情報は、呼び出しに用いられるページングメッセージに含まれ、
前記制御部は、前記リレー装置宛て又は前記リレー装置を含むグループ宛てであることを示す識別情報を含む前記ページングメッセージをデコードして、前記切替情報を取得することを特徴とする請求項９又は１０に記載のリレー装置。
【請求項１２】
前記切替情報は、ＮＡＳメッセージを用いて送信され、
前記制御部は、前記リレー装置宛て又は前記リレー装置を含むグループ宛てであることを示す識別情報を含む前記ＮＡＳメッセージをデコードして、前記切替情報を取得することを特徴とする請求項９又は１０に記載のリレー装置。
【請求項１３】
第１のセルを運用する第１の基地局を有する移動通信システムにおいて用いられる基地局であって、
無線信号を受信し且つ前記無線信号の中継を行わない待ち受けモードから、前記無線信号の中継を行う中継モードに前記動作モードを切り替えるリレー装置と通信可能な制御部を備え、
前記制御部は、前記第１のセルの運用が停止している場合、前記中継モードに設定された前記リレー装置を介して、前記第１のセルのカバレッジを補うように第２のセルを拡張することを特徴とする基地局。
【発明の詳細な説明】
【技術分野】
【０００１】
本発明は、移動通信システムにおいて用いられる通信制御方法、リレー装置及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、基地局の消費電力を削減するエナジーセービング技術が導入されている（例えば、非特許文献１参照）。例えば、通信トラフィックの少ない夜間などにおいて、基地局が管理するセルの運用を停止することにより、基地局の消費電力を削減できる。
【先行技術文献】
【非特許文献】
【０００３】
【非特許文献１】３ＧＰＰ技術仕様書  「ＴＳ  ３６．３００  Ｖ１１．７．０」  ２０１３年９月
【発明の概要】
【発明が解決しようとする課題】
【０００４】
しかしながら、基地局がセルの運用を停止した場合、当該基地局の消費電力を削減できるものの、当該基地局と通信を行っていたユーザ端末は、通信不能となる。従って、サービス品質の低下を抑制しつつエナジーセービングを実現することが求められる。
【０００５】
そこで、本発明は、サービス品質の低下を抑制しつつエナジーセービングを実現可能な通信制御方法、リレー装置及び基地局を提供することを目的とする。
【課題を解決するための手段】
【０００６】
一実施形態に係る通信制御方法は、移動通信システムにおいて用いられる通信制御方法である。当該通信制御方法は、第１の基地局が、第１のセルの運用を停止するステップＡと、リレー装置が、無線信号を受信し且つ前記無線信号の中継を行わない待ち受けモードから、前記無線信号の中継を行う中継モードに動作モードを切り替えるステップＢと、前記第１のセルの運用が停止している場合、前記リレー装置と通信可能な第２の基地局が、前記中継モードに設定された前記リレー装置を介して、前記第１のセルのカバレッジを補うように第２のセルを拡張するステップＣと、を備える。
【発明の効果】
【０００７】
本発明に係る通信制御方法、リレー装置及び基地局は、サービス品質の低下を抑制しつつエナジーセービングを実現可能である。
【図面の簡単な説明】
【０００８】
【図１】図１は、ＬＴＥシステムの構成図である。
【図２】図２は、ＵＥ１００のブロック図である。
【図３】図３は、ｅＮＢ２００のブロック図である。
【図４】図４は、リピータ５００のブロック図である。
【図５】図５は、ＬＴＥシステムにおける無線インターフェイスのプロトコルスタック図である。
【図６】図６は、ＬＴＥシステムにおける無線インターフェイスのプロトコルスタック図である。
【図７】図７は、ＬＴＥシステムで使用される無線フレームの構成図である。
【図８】図８は、本実施形態に係る移動通信システムの通常の運用における動作概要を説明するための説明図である。
【図９】図９は、本実施形態に係る移動通信システムにおいてエナジーセービングが行われる場合における動作概要を説明するための説明図である。
【図１０】図１０は、本実施形態に係る移動通信システムにおいて、通常の運用からエナジーセービングを目的とする運用に切り替える場合の動作シーケンスを説明するための説明図である。
【図１１】図１１は、本実施形態に係る移動通信システムにおいて、通常の運用からエナジーセービングを目的とする運用に切り替える場合の動作シーケンスの変更例を説明するための説明図である。
【図１２】図１２は、移動通信システムにおいて、通常の運用とエナジーセービングを目的とする運用との切り替えの一例を説明するための説明図である。
【発明を実施するための形態】
【０００９】
実施形態に係る通信制御方法は、移動通信システムにおいて用いられる通信制御方法である。当該通信制御方法は、第１の基地局が、第１のセルの運用を停止するステップＡと、リレー装置が、無線信号を受信し且つ前記無線信号の中継を行わない待ち受けモードから、前記無線信号の中継を行う中継モードに動作モードを切り替えるステップＢと、前記第１のセルの運用が停止している場合、前記リレー装置と通信可能な第２の基地局が、前記中継モードに設定された前記リレー装置を介して、前記第１のセルのカバレッジを補うように第２のセルを拡張するステップＣと、を備える。
【００１０】
実施形態に係る通信制御方法は、前記ステップＣの前において、前記第２の基地局が、前記待ち受けモードから前記中継モードに前記動作モードを切り替えるための切替情報を前記リレー装置に送信するステップをさらに備える。前記ステップＢにおいて、前記リレー装置は、前記切替情報に基づいて、前記中継モードに前記動作モードを切り替える。
【００１１】
実施形態に係る通信制御方法は、前記第２の基地局が、前記リレー装置を介した前記第２のセルの拡張を停止するステップＤと、前記第２の基地局が、前記中継モードから前記待ち受けモードに前記動作モードを切り替えるための切替情報を前記リレー装置に送信するステップと、前記ステップＤの後において、前記リレー装置が、前記切替情報に基づいて、前記中継モードから前記待ち受けモードに前記動作モードを切り替えるステップと、をさらに備える。
【００１２】
実施形態において、前記切替情報は、呼び出しに用いられるページングメッセージに含まれる。当該通信制御方法は、前記リレー装置が、前記リレー装置宛て又は前記リレー装置を含むグループ宛てであることを示す識別情報を含む前記ページングメッセージをデコードして、前記切替情報を取得するステップをさらに備える。
【００１３】
実施形態において、前記切替情報は、ＮＡＳメッセージを用いて送信される。当該通信制御方法は、前記リレー装置が、前記リレー装置宛て又は前記リレー装置を含むグループ宛てであることを示す識別情報を含む前記ＮＡＳメッセージをデコードして、前記切替情報を取得するステップをさらに備える。
【００１４】
実施形態において、前記第１のセルと前記第２のセルとは、異なる無線リソースを用いて運用される。前記ステップＡにおいて、前記第１の基地局は、前記第１のセルに接続するユーザ端末を前記第１のセルから前記第２のセルにハンドオーバさせた後に、前記第１のセルの運用を停止する。
【００１５】
実施形態において、前記第１の基地局は、前記第１のセル及び前記第１のセルと異なる無線リソースを用いて運用される第３のセルを運用する。前記ステップＡにおいて、前記第１の基地局は、前記第１のセルに接続するユーザ端末を、前記第１のセルから前記第３のセルにハンドオーバさせた後に、前記第１のセルの運用を停止する。当該通信制御方法は、前記ステップＡの後において、前記第１の基地局が、前記第３のセルに接続するユーザ端末を、前記第３のセルから前記第２のセルにハンドオーバさせた後、前記第３のセルの運用を停止するステップをさらに備えることを特徴とする請求項１に記載の通信制御方法。
【００１６】
実施形態に係るリレー装置は、第１のセルを運用する第１の基地局と、第２の基地局とを有する移動通信システムにおいて用いられ、前記第２の基地局と通信可能なリレー装置である。当該リレー装置は、無線信号を受信し且つ前記無線信号の中継を行わない待ち受けモードから、前記無線信号の中継を行う中継モードに前記動作モードを切り替える制御部を備える。前記制御部は、前記中継モードが設定されている場合で、且つ、前記第１のセルの運用が停止している場合、前記第２のセルを拡張するための無線信号を、前記第１のセルのカバレッジを補うように中継する制御を行う。
【００１７】
実施形態に係るリレー装置は、前記待ち受けモードから前記中継モードに前記動作モードを切り替えるための切替情報を前記第２の基地局から受信する受信部をさらに備える。前記制御部は、前記切替情報に基づいて、前記中継モードに前記動作モードを切り替える。
【００１８】
実施形態に係るリレー装置は、前記中継モードから前記待ち受けモードに前記動作モードを切り替えるための切替情報を前記第２の基地局から受信する受信部をさらに備える。前記制御部は、前記第２の基地局が前記第２のセルの拡張を終了した後に、前記切替情報に基づいて、前記待ち受けモードに前記動作モードを切り替える。
【００１９】
実施形態において、前記切替情報は、呼び出しに用いられるページングメッセージに含まれる。前記制御部は、前記リレー装置宛て又は前記リレー装置を含むグループ宛てであることを示す識別情報を含む前記ページングメッセージをデコードして、前記切替情報を取得する。
【００２０】
実施形態において、前記切替情報は、ＮＡＳメッセージを用いて送信される。前記制御部は、前記リレー装置宛て又は前記リレー装置を含むグループ宛てであることを示す識別情報を含む前記ＮＡＳメッセージをデコードして、前記切替情報を取得する。
【００２１】
実施形態に係る基地局は、第１のセルを運用する第１の基地局を有する移動通信システムにおいて用いられる基地局である。当該基地局は、無線信号を受信し且つ前記無線信号の中継を行わない待ち受けモードから、前記無線信号の中継を行う中継モードに前記動作モードを切り替えるリレー装置と通信可能な制御部を備える。前記制御部は、前記第１のセルの運用が停止している場合、前記中継モードに設定された前記リレー装置を介して、前記第１のセルのカバレッジを補うように第２のセルを拡張する。
【００２２】
［実施形態］
（ＬＴＥシステム）
図１は、本実施形態に係るＬＴＥシステムの構成図である。
【００２３】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２４】
ＵＥ１００は、移動型の無線通信装置であり、接続を確立したセル（サービングセル）との無線通信を行う。ＵＥ１００はユーザ端末に相当する。
【００２５】
Ｅ−ＵＴＲＡＮ１０は、複数のｅＮＢ２００（ｅｖｏｌｖｅｄ  Ｎｏｄｅ−Ｂ）と、リピータ（Ｒｅｐｅａｔｅｒ）５００とを含む。ｅＮＢ２００は基地局に相当する。ｅＮＢ２００は、セルを管理しており、セルとの接続を確立したＵＥ１００との無線通信を行う。リピータ５００は、レイヤ１リレーであり、無線信号の中継を行う無線通信装置である。具体的には、リピータ５００は、ｅＮＢ２００からの無線信号をＵＥ１００に中継し、ＵＥ１００からの無線信号をｅＮＢ２００に中継する。
【００２６】
なお、「セル」は、無線通信エリアの最小単位を示す用語として使用される他に、ＵＥ１００との無線通信を行う機能を示す用語としても使用される。
【００２７】
ｅＮＢ２００は、例えば、無線リソース管理（ＲＲＭ）機能と、ユーザデータのルーティング機能と、モビリティ制御及びスケジューリングのための測定制御機能と、を有する。
【００２８】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と）を含む。また、ＥＰＣ２０は、コアネットワークに相当する。
【００２９】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３０】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３１】
ＯＡＭ４００は、オペレータによって管理されるサーバ装置であり、Ｅ−ＵＴＲＡＮ１０の保守及び監視を行う。
【００３２】
次に、ＵＥ１００、ｅＮＢ２００及びリピータ５００の構成を説明する。
【００３３】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３４】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３５】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３７】
ＧＮＳＳ受信機１３０は、ＵＥ１００の地理的な位置を示す位置情報を得るために、ＧＮＳＳ信号を受信して、受信した信号をプロセッサ１６０に出力する。
【００３８】
バッテリ１４０は、ＵＥ１００の各ブロックに供給すべき電力を蓄える。
【００３９】
メモリ１５０は、プロセッサ１６０によって実行されるプログラムと、プロセッサ１６０による処理に使用される情報と、を記憶する。
【００４０】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４１】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００４２】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４４】
メモリ２３０は、プロセッサ２４０によって実行されるプログラムと、プロセッサ２４０による処理に使用される情報と、を記憶する。
【００４５】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４６】
図４は、リピータ５００のブロック図である。図４に示すように、リピータ５００は、アンテナ５０１と、無線送受信機５１０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機５３０と、バッテリ５４０と、メモリ５５０と、プロセッサ５６０と、を有する。メモリ５５０及びプロセッサ５６０は、制御部を構成する。
【００４７】
リピータ５００は、ＧＮＳＳ受信機５３０及び／又はバッテリ５４０を有していなくてもよい。また、メモリ５５０をプロセッサ５６０と一体化し、このセット（すなわち、チップセット）をプロセッサ５６０’としてもよい。
【００４８】
アンテナ５０１及び無線送受信機５１０は、無線信号の送受信に用いられる。アンテナ５０１は、複数のアンテナ素子を含む。無線送受信機５１０は、アンテナ５０１が受信するＵＥ１００からの無線信号を、プロセッサ５６０に出力せずに、ｅＮＢ２００に送信する。また、無線送受信機５１０は、アンテナ５０１が受信するｅＮＢ２００からＵＥ１００への無線信号を、プロセッサ５６０に出力せずにＵＥ１００に送信する。一方、無線送受信機５１０は、ｅＮＢ２００からリピータ５００への無線信号をベースバンド信号に変換してプロセッサ５６０に出力する。
【００４９】
本実施形態において、アンテナ５０１及び無線送受信機５１０は、ＵＥ１００との通信に用いられる無線信号の送受信と、ｅＮＢ２００との通信に用いられる無線信号の送受信とに用いられる。
【００５０】
ＧＮＳＳ受信機５３０は、ＵＥ１００の地理的な位置を示す位置情報を得るために、ＧＮＳＳ信号を受信して、受信した信号をプロセッサ５６０に出力する。
【００５１】
バッテリ５４０は、リピータ５００の各ブロックに供給すべき電力を蓄える。
【００５２】
メモリ５５０は、プロセッサ５６０によって実行されるプログラムと、プロセッサ５６０による処理に使用される情報と、を記憶する。
【００５３】
プロセッサ５６０は、ベースバンド信号の変調・復調及び符号化・復号などを行うベースバンドプロセッサと、メモリ５５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ５６０は、後述する各種の処理及び各種の通信プロトコルを実行する。
【００５４】
本実施形態において、後述するように、制御部は、リピータ５００宛て又はリピータ５００を含むグループ宛であることを示す識別情報を含むページングメッセージをデコードすることができる。また、制御部は、リピータ５００宛て又はリピータ５００を含むグループ宛であることを示す識別情報を含むＮＡＳメッセージ（例えば、ＳＭＳメッセージ）をデコードすることができる。制御部は、デコードによって得られた情報に基づいて、後述する処理を実行できる。
【００５５】
図５及び図６は、ＬＴＥシステムにおける無線インターフェイスのプロトコルスタック図である。図５は、データ転送に関するプロトコルスタック図である。図６は、リピータ５００における制御情報の受信に関するプロトコルスタック図である。
【００５６】
図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５７】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５８】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５９】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００６０】
ＰＤＣＰレイヤは、ヘッダ圧縮・伸張、及び暗号化・復号化を行う。
【００６１】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００６２】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６３】
図５に示すように、リピータ５００は、データ転送に関してプロトコル処理を実行しない。
【００６４】
一方、図６に示すように、リピータ５００は、各レイヤにおいて、リピータ５００を制御するための制御情報（制御データ）を受信するためのプロトコル処理を実行する。
【００６５】
図７は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００６６】
図７に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００６７】
ＵＥ１００に割り当てられる無線リソースのうち、周波数リソースはリソースブロックにより特定でき、時間リソースはサブフレーム（又はスロット）により特定できる。
【００６８】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００６９】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００７０】
（リピータ５００の動作）
次に、本実施形態に係るリピータ５００の動作概要を説明する。
【００７１】
（１）動作モード
リピータ５００は、起動している間（すなわち、電源がＯＮ状態の間）、複数の動作モードのうち、設定された動作モードに従って、動作を行う。複数の動作モードは、少なくとも中継モード（ａｃｔｉｖａｔｅ  ｍｏｄｅ）と待ち受けモード（ｄｅａｃｔｉｖａｔｅ  ｍｏｄｅ）とを含む。
【００７２】
中継モードは、無線信号（Ｌ１シグナル）の中継を行う中継モードである。従って、リピータ５００は、中継モードが設定されている場合、ＵＥ１００及びｅＮＢ２００からの無線信号（Ｌ１シグナル）を受信し、受信した無線信号を電力増幅して、電力増幅がされた無線信号（Ｌ１シグナル）を送信する。リピータ５００は、後述するように、所定のカバレッジのセルが運用を停止している場合に、所定のカバレッジの少なくとも一部を補うように、無線信号の中継を行う。
【００７３】
一方、待ち受けモードは、無線信号を受信し且つ無線信号の中継を行わないモードである。従って、リピータ５００は、待ち受けモードが設定されている場合、ＵＥ１００及びｅＮＢ２００からの無線信号を受信するものの、受信した無線信号を送信しない。リピータ５００は、受信した無線信号は、制御部に出力され、受信した無線信号が示す情報に応じた処理を実行する。
【００７４】
中継モードが設定されているリピータ５００は、受信機能及び送信機能が有効である。一方、待ち受けモードが設定されているリピータ５００は、受信機能が有効であるが、送信機能を停止している。従って、待ち受けモードに設定されたリピータ５００は、無線信号の送信を行わないため、中継モードが設定されたリピータ５００に比べて、消費電力が低減する。
【００７５】
なお、リピータ５００は、起動していない場合（すなわち、電源がＯＦＦ状態の場合）、受信機能、送信機能及び制御機能が停止している。
【００７６】
（２）動作モードの切り替え
リピータ５００は、複数の動作モードを切り替えることができる。本実施形態において、リピータ５００は、リピータ５００を制御するサービングｅＮＢ２００がリピータ５００を用いてセルの拡張を行う場合、待ち受けモードから中継モードに動作モードを切り替える。一方、リピータ５００は、サービングｅＮＢ２００がリピータ５００を用いてセルの拡張を終了する場合、中継モードから待ち受けモードに動作モードを切り替える。
【００７７】
或いは、リピータ５００は、リピータ５００の周囲の隣接ｅＮＢ２００がセルの運用を停止する際に、待ち受けモードから中継モードに動作モードを切り替える。一方、リピータ５００は、隣接ｅＮＢ２００がセルの運用を再開する際に、中継モードから待ち受けモードに動作モードを切り替える。
【００７８】
上述の動作を実現させるために、例えば、リピータ５００は、ｅＮＢ２００から受信した切替情報に基づいて、中継モードと待ち受けモードとを切り替える。切替情報は、呼び出しに用いられるページングによって送信されてもよいし、ＮＡＳメッセージ（例えば、ＳＭＳメッセージ）を用いて送信されてもよい。
【００７９】
リピータ５００は、ページングメッセージを受信した場合、ページングメッセージに含まれる識別情報（識別子）に基づいて、受信したページングメッセージがリピータ５００宛て又はリピータ５００を含むグループ宛てであるか否かを判定する。リピータ５００は、受信したページングメッセージがリピータ５００宛て（又は当該グループ宛て）である場合、切替情報を含むページングメッセージをデコードして、切替情報を取得できる。
【００８０】
同様に、リピータ５００は、ＮＡＳメッセージがリピータ５００宛て（又は当該グループ宛て）である場合、切替情報を含むＮＡＳメッセージをデコードして、切替情報を取得できる。
【００８１】
リピータ５００は、切替情報が中継モードの切り替えを要求していた場合、待ち受けモードから中継モードに動作モードを切り替える（或いは、中継モードを維持する）。同様に、リピータ５００は、切替情報が待ち受けモードの切り替えを要求していた場合、中継モードから待ち受けモードに動作モードを切り替える（或いは、待ち受けモードを維持する）。
【００８２】
なお、切替情報は、切り替える時刻や切り替えるためのタイマを起動させるトリガなどの切替タイミングを示す情報を含んでもよい。リピータ５００は、切替情報によって指定されたタイミングで、動作モードを切り替えることができる。
【００８３】
（実施形態に係る移動通信システムの動作）
（１）動作概要
次に、本実施形態に係る移動通信システムの動作概要を、図８及び図９を用いて説明する。図８は、本実施形態に係る移動通信システムの通常の運用における動作概要を説明するための説明図である。図９は、本実施形態に係る移動通信システムにおいてエナジーセービングが行われる場合における動作概要を説明するための説明図である。
【００８４】
図８に示すように、ｅＮＢ２００Ａは、各ｅＮＢ２００Ｂに隣接して設置されている。ｅＮＢ２００Ａ及び各ｅＮＢ２００Ｂは、自セルを運用している。ｅＮＢ２００Ａは、リピータ５００（リピータ５００Ａ〜リピータ５００Ｆ）を制御するサービングｅＮＢであり、リピータ５００と通信可能である。
【００８５】
ｅＮＢ２００Ａと各ｅＮＢ２００Ｂとの間には、リピータ５００が設置されている。リピータ５００は、ｅＮＢ２００Ａが管理するセルのカバレッジ内に設置されている。加えて、リピータ５００は、ｅＮＢ２００Ｂが管理するセルのカバレッジ内に位置する（少なくとも一部の）ＵＥ１００と通信できるように、設置されている。
【００８６】
図８において、ｅＮＢ２００Ａ及び各ｅＮＢ２００Ｂは、通常通り、自セルを運用している。一方、リピータ５００は、待ち受けモードに設定されている。従って、リピータ５００は、ｅＮＢ２００Ａからの無線信号を受信するものの、無線信号の中継を行っていない。
【００８７】
図９に示されるように、移動通信システムにおいて、省電力を目的とするエナジーセービングが行われる場合、ｅＮＢ２００Ｂは、自セルの運用を停止する。本実施形態では、図９に示される６つのｅＮＢ２００Ｂのうちの１つのｅＮＢ２００Ｂ−１が自セルの運用を停止すると仮定して説明を進める。
【００８８】
ｅＮＢ２００Ｂ−１のセルの運用が停止する場合、ｅＮＢ２００Ａは、待ち受けモードから中継モードに動作モードを切り替えるための切替情報をリピータ５００Ａに送信する。リピータ５００Ａは、ｅＮＢ２００Ａから切替情報を受信する。リピータ５００Ａは、ｅＮＢ２００Ａから受信した切替情報に基づいて、中継モードに動作モードを切り替える。
【００８９】
図９に示すように、ｅＮＢ２００Ａは、中継モードに設定されたリピータ５００Ａを介して、ｅＮＢ２００Ｂ−１のセルのカバレッジを補うようにｅＮＢ２００Ａのセルを拡張する。すなわち、リピータ５００Ａは、ｅＮＢ２００Ａのセルを拡張するための無線信号を、ｅＮＢ２００Ｂ−１のセルのカバレッジを補うように中継する。一方、ｅＮＢ２００Ｂ−１は、セルの運用を停止する。
【００９０】
ｅＮＢ２００Ａは、リピータ５００Ａを介して、拡張したセルを運用する。ｅＮＢ２００Ｂ−１のセルのカバレッジ内に存在していたＵＥ１００は、拡張したセルと接続する。ｅＮＢ２００Ａは、リピータ５００Ａを介して拡張したセルと接続したＵＥ１００と通信を行う。リピータ５００Ａは、ｅＮＢ２００Ａからの無線信号をＵＥ１００に中継し、拡張したセルと接続したＵＥ１００からの無線信号をｅＮＢ２００Ａに中継する。
【００９１】
次に、ｅＮＢ２００Ｂ−１が、セルの運用の停止を終了させる（すなわち、セルの運用を再開する）のに伴って、ｅＮＢ２００Ａが、リピータ５００を介したセルの拡張を停止する。ｅＮＢ２００Ａは、中継モードから待ち受けモードに動作モードを切り替えるための切替情報をリピータ５００Ａに送信する。リピータ５００Ａは、ｅＮＢ２００Ａがセルの拡張を終了した後、ｅＮＢ２００Ａから切替情報を受信する。リピータ５００Ａは、ｅＮＢ２００Ａから受信した切替情報に基づいて、待ち受けモードに動作モードを切り替える。
【００９２】
なお、リピータ５００が、中継モードから待ち受けモードに動作モードを切り替えることによって、ｅＮＢ２００Ａは、セルの拡張を終了してもよい。
【００９３】
（２）動作シーケンス
次に、移動通信システムの通常の運用からエナジーセービングを目的とする運用へ切り替える場合におけるｅＮＢ２００Ａ、ｅＮＢ２００Ｂ及びリピータ５００の動作シーケンスを図１０を用いて説明する。
【００９４】
図１０は、本実施形態に係る移動通信システムにおいて、通常の運用からエナジーセービングを目的とする運用に切り替える場合の動作シーケンスを説明するための説明図である。
【００９５】
図１０に示すように、ｅＮＢ２００Ａは、キャリアＦ１に対応するセルａ１及びキャリアＦ２に対応するセルａ２を運用（管理）している。同様に、ｅＮＢ２００Ｂは、キャリアＦ１に対応するセルｂ１及びキャリアＦ２に対応するセルｂ２を運用（管理）している。すなわち、キャリアＦ１は、セルａ１及びセルｂ１の運用に用いられ、キャリアＦ２は、セルａ２及びセルｂ２の運用に用いられる。
【００９６】
リピータ５００は、ｅＮＢ２００Ａからの無線信号を、ｅＮＢ２００Ｂのセルｂ１のカバレッジを補うように中継できる位置に設置されている。リピータ５００は、ｅＮＢ２００ＡをサービングｅＮＢ２００として予め設定している。
【００９７】
図１０に示すように、ステップＳ１１０において、ｅＮＢ２００Ａ（又はｅＮＢ２００Ｂ）は、ｅＮＢ２００Ｂのエナジーセービングを行うか否かを判断する。具体的には、ｅＮＢ２００Ａ（又はｅＮＢ２００Ｂ）は、以下の第１から第３の判断方法の何れかに従って、ｅＮＢ２００Ｂのエナジーセービングを行うか否かを判断できる。
【００９８】
第１の判断方法として、ｅＮＢ２００Ａは、ｅＮＢ２００Ａ及び／又はｅＮＢ２００Ｂにおけるトラフィック状況（接続ＵＥ数、送受信データ量、又は無線リソース使用率など）の時間変動に基づいて、ｅＮＢ２００Ｂのエナジーセービングを行うか否かを判断する。例えば送受信データ量などの少ない時間帯においてｅＮＢ２００Ｂのエナジーセービングを行うと判断する。
【００９９】
第２の判断方法として、ｅＮＢ２００Ａは、ＯＡＭ（Ｏｐｅｒａｔｉｏｎ  ａｎｄ  Ｍａｉｎｔｅｎａｎｃｅ）からの指示（エナジーセービングＯＮ／ＯＦＦコマンド）に基づいて、ｅＮＢ２００Ｂのエナジーセービングを行うか否かを判断する。
【０１００】
第３の判断方法として、ｅＮＢ２００Ａは、ｅＮＢ２００Ａの電源供給状況、又はｅＮＢ２００Ｂの電源供給状況に基づいて、エナジーセービングを行うか否かを判断する。ｅＮＢ２００Ｂの電源供給状況をｅＮＢ２００Ａに通知すれば、ｅＮＢ２００ＡがｅＮＢ２００Ｂの電源供給状況を把握できる。例えば、ｅＮＢ２００Ａは、ｅＮＢ２００Ｂの電源供給が遮断された場合(バッテリ駆動となった場合)、ｅＮＢ２００Ｂのバッテリ残量が規定値を下回った場合、又はｅＮＢ２００Ｂの自家発電電力(ソーラー等)の出力電力が規定値を下回った場合などにおいて、ｅＮＢ２００Ｂのエナジーセービングを行うと判断する。
【０１０１】
本実施形態において、ｅＮＢ２００Ａが、ｅＮＢ２００Ｂのエナジーセービングを行うと判断する。ｅＮＢ２００Ａは、ｅＮＢ２００Ｂに対して、エナジーセービングを行うための要求を送信する。ｅＮＢ２００Ｂは、当該要求を受信する。当該要求は、ｅＮＢ２００Ａが、ｅＮＢ２００Ｂに代わって、キャリアＦ１に対応するセルｂ１の運用を行う旨を示す情報を含む。
【０１０２】
ステップＳ１２０において、ｅＮＢ２００Ｂは、ｅＮＢ２００Ａからの要求の受信に応じて、キャリアＦ１に対応するセルｂ１の運用を停止すると決定する。その後、ｅＮＢ２００Ｂは、セルｂ１に対応するキャリアＦ１を用いて通信を行うＵＥ１００が、セルｂ１からセルｂ２へとハンドオーバ（第１の切り替え）を行うための制御を行う。この第１の切り替えにより、キャリアＦ１を用いて通信を行うＵＥ１００がキャリアＦ２を用いて通信を開始する。
【０１０３】
ｅＮＢ２００Ｂは、セルｂ１内に位置するアイドル状態のＵＥ１００をセルｂ２内に移動させるために、セルｂ１の運用を停止する旨及び／又はセルｂ２（のみ）を運用する旨を示す情報を含むシステム情報ブロック（ＳＩＢ）をブロードキャストしてもよい。
【０１０４】
ステップＳ１３０において、ｅＮＢ２００Ｂは、セルｂ１の運用を停止する。ｅＮＢ２００Ｂは、ステップＳ１１０の要求に対する応答として、セルｂ１の運用を停止した旨をｅＮＢ２００Ａに送信する。
【０１０５】
ステップＳ１４０において、ｅＮＢ２００Ａは、待ち受けモードから中継モードに動作モードを切り替えるための切替情報をリピータ５００Ａに送信する。リピータ５００Ａは、ｅＮＢ２００Ａから受信した切替情報に基づいて、中継モードに動作モードを切り替える。
【０１０６】
ｅＮＢ２００Ａは、リピータ５００を介して、キャリアＦ１に対応するセルａ１を拡張し、拡張されたセルａ１の運用を開始する。リピータ５００は、ｅＮＢ２００Ａからのセルａ１を拡張するための無線信号を、セルｂ１のカバレッジを補うように中継する。ｅＮＢ２００Ａは、セルａ１を拡張した旨をｅＮＢ２００Ｂに送信する。ｅＮＢ２００Ｂは、セルａ１を拡張した旨を受信する。
【０１０７】
ステップＳ１５０において、ｅＮＢ２００Ｂは、ｅＮＢ２００Ａからのセルａ１を拡張した旨の受信に応じて、セルｂ２に対応するキャリアＦ２を用いて通信を行うＵＥ１００が、セルｂ２から拡張されたセルａ１へとハンドオーバ（第２の切り替え）を行うための制御を行う。ｅＮＢ２００Ｂは、ｅＮＢ２００Ａに対して、ハンドオーバ要求を行う。ｅＮＢ２００Ｂは、ｅＮＢ２００Ａからのハンドオーバ要求応答に応じて、ＵＥ１００に対して、セルｂ２から拡張されたセルａ１へとハンドオーバを行わせる。この第２の切り替えにより、キャリアＦ２を用いて通信を行うＵＥ１００がキャリアＦ１を用いて通信を開始する。
【０１０８】
また、ｅＮＢ２００Ａは、自局のエナジーセービングを行うことが可能と判断した場合、セルａ２に対応するキャリアＦ２を用いて通信を行うＵＥ１００が、セルａ２からセルａ１へとハンドオーバを行うための制御を行う。このハンドオーバにより、キャリアＦ２を用いて通信を行うＵＥ１００がキャリアＦ１を用いて通信を開始する。
【０１０９】
ステップＳ１６０において、ｅＮＢ２００Ｂは、セルｂ２の運用を停止する。ｅＮＢ２００Ｂは、セルｂ２の運用を停止した旨をｅＮＢ２００Ａに送信する。
【０１１０】
また、ｅＮＢ２００Ａは、セルａ２の運用を停止する。これにより、ｅＮＢ２００Ａは、キャリアＦ１に対応するセルａ１及びセルｂ１のみを運用することができる。
【０１１１】
（３）動作シーケンスの変更例
次に、動作シーケンスの変更例を、図１１を用いて説明する。図１１は、本実施形態に係る移動通信システムにおいて、通常の運用からエナジーセービングが行われる場合の運用に切り替える場合の動作シーケンスの変更例を説明するための説明図である。
【０１１２】
上述の動作シーケンスでは、ｅＮＢ２００Ｂが、キャリアＦ１とキャリアＦ２を用いて、ＵＥ１００と通信を行っていた。本変更例では、ｅＮＢ２００Ａが、１つのキャリアを用いる場合に、移動通信システムの効率的な運用に切り替えるケースを説明する。
【０１１３】
図１１に示すように、ｅＮＢ２００Ａは、ｅＮＢ２００Ａ及びｅＮＢ２００Ｂが利用可能な所定の周波数帯域における無線リソースを時間方向（図１１の上図参照）又は周波数方向（図１１の下図参照）に分割する。ｅＮＢ２００Ａは、時間方向及び周波数方向に無線リソースを分割してもよい。
【０１１４】
次に、ｅＮＢ２００Ａは、分割した無線リソースのうち、ｅＮＢ２００Ａが使用可能な無線リソース及びｅＮＢ２００Ｂが使用可能な無線リソースを決定する。ｅＮＢ２００Ａは、ｅＮＢ２００Ａが使用可能な無線リソース及びｅＮＢ２００Ｂが互いに重複しないようにする。
【０１１５】
ｅＮＢ２００Ａは、ｅＮＢ２００Ｂが使用可能な無線リソース（又はｅＮＢ２００Ａが使用可能な無線リソース）をｅＮＢ２００Ａに通知する。
【０１１６】
ｅＮＢ２００Ｂは、ｅＮＢ２００Ａが使用可能な無線リソースを自セル内に位置するＵＥ１００へ割り当てないようにし、ｅＮＢ２００Ａが使用可能な無線リソースの使用を中止する。
【０１１７】
ｅＮＢ２００Ａは、ｅＮＢ２００Ａが使用可能な無線リソースを用いて、リピータ５００を介してセルを拡張する。リピータ５００は、ｅＮＢ２００Ａが使用可能な無線リソースを用いて、セルａ１を拡張するためのｅＮＢ２００Ａからの無線信号を、ｅＮＢ２００Ｂのセルのカバレッジを補うように中継する。
【０１１８】
ｅＮＢ２００Ｂは、ｅＮＢ２００Ｂが使用可能な無線リソースを用いて通信を行うＵＥ１００（自セル内に位置するＵＥ１００）が、ｅＮＢ２００Ａが使用可能な無線リソースを用いて通信を行うように制御する。すなわち、ｅＮＢ２００Ｂは、ｅＮＢ２００Ａの拡張されたセルと接続するように、当該ＵＥ１００を制御する。
【０１１９】
ｅＮＢ２００Ｂは、自セル内に位置するＵＥ１００が、ｅＮＢ２００Ａの拡張されたセルと接続した後、ｅＮＢ２００Ｂが使用可能な無線リソースの使用を中止する。ｅＮＢ２００Ｂは、ｅＮＢ２００Ａに無線リソースの使用を中止した旨を示す情報を送信してもよい。
【０１２０】
その後、ｅＮＢ２００Ａは、ｅＮＢ２００Ｂに代わって、ｅＮＢ２００Ｂが使用可能であった無線リソースを用いて、リピータ５００を介して拡張されたセルを運用してもよい。リピータ５００は、ｅＮＢ２００Ｂが使用可能であった無線リソースを用いて、セルａ１を拡張するためのｅＮＢ２００Ａからの無線信号を、ｅＮＢ２００Ｂのセルのカバレッジを補うように中継してもよい。
【０１２１】
（実施形態のまとめ）
本実施形態において、ｅＮＢ２００Ｂは、セルの運用を停止する。リピータ５００は、待ち受けモードから中継モードに動作モードを切り替える。ｅＮＢ２００Ｂのセルの運用が停止している場合、ｅＮＢ２００Ａが、中継モードに設定されたリピータ５００を介して、ｅＮＢ２００Ｂのセルのカバレッジを補うようにセルを拡張する。また、リピータ５００は、中継モードが設定されている場合で、且つ、ｅＮＢ２００Ｂのセルの運用が停止している場合、ｅＮＢ２００Ａのセルを拡張するための無線信号を、ｅＮＢ２００Ｂのセルのカバレッジを補うように中継する。これらによって、エナジーセービングを実現するために、ｅＮＢ２００Ｂがセルの運用を停止した場合であっても、ｅＮＢ２００が、ｅＮＢ２００Ｂのセルのカバレッジを補うようにリピータ５００を介してｅＮＢ２００Ａのセルを拡張するため、ｅＮＢ２００Ｂのセルのカバレッジに位置していたＵＥ１００は、ｅＮＢ２００Ａの拡張されたセルと接続できる。従って、サービス品質の低下を抑制しつつエナジーセービングを実現できる。さらに、リピータ５００は、待ち受けモードから中継モードに動作モードを切り替えるため、中継モードを維持している場合に比べて、消費電力を低減できる。
【０１２２】
また、本実施形態において、ｅＮＢ２００Ａが、待ち受けモードから中継モードに動作モードを切り替えるための切替情報をリピータ５００に送信する。リピータ５００は、切替情報をｅＮＢ２００Ａから受信する。リピータ５００は、切替情報に基づいて、中継モードに動作モードを切り替える。これにより、リピータ５００は、拡張するセルを管理するｅＮＢ２００Ａからの切替情報に基づいて動作モードを切り替えるため、ｅＮＢ２００Ａは、リピータ５００を適切に制御できる。
【０１２３】
また、本実施形態において、ｅＮＢ２００Ａが、リピータ５００を介したセルの拡張を停止する。ｅＮＢ２００Ｂが、中継モードから待ち受けモードに動作モードを切り替えるための切替情報をリピータ５００に送信する。ｅＮＢ２００Ａがセルの拡張を停止した後、リピータ５００が、切替情報に基づいて、中継モードから待ち受けモードに動作モードを切り替える。これにより、ｅＮＢ２００Ｂが、セルの運用を再開した後は、リピータ５００は、待ち受けモードに設定されるので、中継モードを維持している場合に比べて、消費電力を低減できる。
【０１２４】
また、本実施形態において、切替情報は、ページングメッセージに含まれてもよい。リピータ５００は、リピータ５００宛て又はリピータ５００を含むグループ宛てであることを示す識別情報を含むページングメッセージをデコードして、切替情報を取得できる。これにより、リピータ５００は、わずかな時間のみＬ１／Ｌ２制御信号をモニタして、リピータ５００宛て（リピータ５００を含むグループ宛て）の識別情報がないかを確認すればよいため、さらに消費電力を低減できる。
【０１２５】
また、本実施形態において、切替情報は、ＮＡＳメッセージを用いて送信されてもよい。リピータ５００は、リピータ５００宛て又はリピータ５００を含むグループ宛てであることを示す識別情報を含むＮＡＳメッセージをデコードして、切替情報を取得できる。これにより、リピータ５００の制御を、ＭＭＥが行うことができるため、ＭＭＥの制御の下、より効率のよいエナジーセービングを実現可能となる。
【０１２６】
また、本実施形態において、ｅＮＢ２００Ｂは、キャリアＦ１を用いて運用されるセルｂ１と、キャリアＦ２を用いて運用されるセルｂ２とを運用する。ｅＮＢ２００Ｂは、セルｂ１に接続するＵＥ１００を、セルｂ１からセルｂ２にハンドオーバさせた後にセルｂ１の運用を停止する。ｅＮＢ２００Ｂは、セルｂ２に接続するＵＥ１００を、セルｂ２からｅＮＢ２００Ａの拡張されたセルａ１にハンドオーバさせた後、セルｂ２の運用を停止する。これにより、ｅＮＢ２００Ｂが、セルｂ１及びセルｂ２を停止しても、セルｂ１又はセルｂ２に接続するＵＥ１００が通信不能にならず、シームレスな通信を実現できる。
【０１２７】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２８】
例えば、上述した実施形態において、リピータ５００は、ＵＥ１００との通信に用いられる無線信号の送受信と、ｅＮＢ２００との通信に用いられる無線信号の送受信とに、アンテナ５０１及び無線送受信機５１０を用いていたが、これに限られない。リピータ５００は、ＵＥ１００との通信に用いられる無線信号の送受信用のアンテナ及び無線送受信機と、ｅＮＢ２００との通信に用いられる無線信号の送受信用のアンテナ及び無線送受信機とを備えていてもよい。また、リピータ５００は、所定のインターフェイスを介してｅＮＢ２００と接続され、所定のインターフェイス上で行う通信に用いられるネットワークインターフェイスを備えていてもよい。
【０１２９】
また、上述した実施形態では、ｅＮＢ２００Ａがリピータ５００を制御していたが、これに限られない。ｅＮＢ２００Ａの上位のネットワーク装置（例えば、ＯＡＭ）が、ｅＮＢ２００Ａを介して、リピータ５００を制御してもよい。この場合、ｅＮＢ２００Ａは、間接的にリピータ５００を制御している。
【０１３０】
また、上述した実施形態では、ｅＮＢ２００Ａがリピータ５００に切替情報を送信していたが、セルの運用を停止するｅＮＢ２００Ｂが、リピータ５００に切替情報を送信してもよい。或いは、ｅＮＢ２００Ａの上位のネットワーク装置が、ｅＮＢ２００Ａを介して、リピータ５００を制御してもよい。ネットワーク装置は、ｅＮＢ２００Ｂのエナジーセービングを制御し、ｅＮＢ２００Ｂのエナジーセービングを行うことを決定した場合に、切替情報をリピータ５００に送信してもよい。
【０１３１】
また、上述した実施形態（図８及び図９参照）では、ｅＮＢ２００Ｂ−１のみが自セルの運用を停止するケースを説明したが、これに限られない。複数のｅＮＢ２００（例えば、６つのｅＮＢ２００Ｂ）のそれぞれが、自セルの運用を停止してもよい。ここで、複数のリピータ５００（リピータ５００Ａ〜リピータ５００Ｆ）が１つのグループを構成している場合、当該グループ宛ての識別情報を含む切替情報をｅＮＢ２００Ａはブロードキャストしてもよい。６つのｅＮＢ２００Ｂのそれぞれが、自セルの運用を停止している間、ｅＮＢ２００Ａは、複数のリピータ５００（リピータ５００Ａ〜リピータ５００Ｆ）を介して、拡張したセルを運用してもよい。
【０１３２】
また、上述した実施形態において、ｅＮＢ２００Ａがリピータ５００を介してセルの拡張を開始するタイミングは、ｅＮＢ２００Ｂが自セルの運用を停止するタイミングよりも早くてもよいし、遅くてもよいし、同時でもよい。
【０１３３】
また、上述した実施形態（図１０参照）では、ｅＮＢ２００Ｂは、セルｂ１とセルｂ２とを運用し、セルｂ１に接続するＵＥ１００をセルｂ２にハンドオーバさせていたが、これに限られない。例えば、ｅＮＢ２００Ａが、キャリアＦ１を用いて１つのセルａを運用し、ｅＮＢ２００Ｂが、キャリアＦ１と異なるキャリアＦ２を用いて１つのセルｂを運用している場合、ｅＮＢ２００Ｂは、セルｂに接続するＵＥ１００をセルｂからセルａにハンドオーバさせた後に、セルｂの運用を停止してもよい。ｅＮＢ２００Ｂが２つのセルを管理できない場合であっても、ＵＥ１００が通信不能にならず、シームレスな通信を実現できる。
【０１３４】
また、上述した実施形態では、ｅＮＢ２００Ａ及びｅＮＢ２００Ａに隣接するｅＮＢ２００Ｂとの動作を説明したが、これに限られない。例えば、ＭｅＮＢ２００と、ＭｅＮＢ２００が管理する大セル内に設置された、大セルよりも小さいセルを管理するＰｅＮＢ２００との動作であってもよい。この場合、ｅＮＢ２００ＡがＭｅＮＢ２００に対応し、ｅＮＢ２００ＢがＰｅＮＢ２００に対応する。
【０１３５】
また、上述した実施形態において、移動通信システムの通常の運用とエナジーセービングを目的とする運用を時間帯によって、切り替えてもよい。図１２に示すように、多くのＵＥ１００が通信を行う時間帯（例えば、４：００〜２２：００）では、通常の運用が行われ、少ないＵＥ１００が通信を行う時間帯（例えば、０：００〜４：００、２２：００〜２４：００）では、エナジーセービングを目的とする運用が行われてもよい。
【０１３６】
この場合、リピータ５００は、切替情報を受信せずに、設定された時刻に応じて、中継モードと待ち受けモードとを切り替えてもよい。従って、例えば、リピータ５００は、４：００〜２２：００の間は、待ち受けモードに動作モードを設定し、０：００〜４：００及び２２：００〜２４：００の間は、中継モードに動作モードを設定してもよい。
【０１３７】
また、上述した実施形態では、無線信号の電力を増幅して送信する、いわゆるＡＦ（Ａｍｐｌｉｆｉｅｒ  Ｆｏｒｗａｒｄ）型リピータであったが、これに限られない。例えば、リピータ５００は、ＤＦ（Ｄｅｃｏｄｅ  ａｎｄ  Ｆｏｒｗａｒｄ）型リピータであってもよいし、レイヤ３リレーであってもよい。
【０１３８】
また、上述した実施形態では、本発明をＬＴＥシステムに適用する一例を説明したが、ＬＴＥシステムに限定されるものではなく、ＬＴＥシステム以外のシステムに本発明を適用してもよい。
【符号の説明】
【０１３９】
１０…Ｅ−ＵＴＲＡＮ、  ２０…ＥＰＣ、  １００，１００−１，１００−２，１００−３…ＵＥ（ユーザ端末）、  １０１…アンテナ、  １１０…無線送受信機、  １２０…ユーザインターフェイス、  １３０…ＧＮＳＳ受信機、  １４０…バッテリ、  １５０…メモリ、  １６０，１６０’…プロセッサ、  ２００，２００−１，２００−２，２００−３，２００Ａ，２００Ｂ，２００Ｂ−１…ｅＮＢ（無線基地局）、  ２０１…アンテナ、  ２１０…無線送受信機、  ２２０…ネットワークインターフェイス、  ２３０…メモリ、  ２４０，２４０’…プロセッサ、  ３００…ＭＭＥ／Ｓ−ＧＷ、  ４００…ＯＡＭ、  ５００，５００Ａ，５００Ｂ，５００Ｃ，５００Ｄ，５００Ｅ，５００Ｆ，…リピータ、  ５０１…アンテナ、  ５１０…無線送受信機、  ５３０…ＧＮＳＳ受信機、  ５４０…バッテリ、  ５５０…メモリ、  ５６０，５６０’…プロセッサ
【図１】
2015104052.tif 000003
【図２】
2015104052.tif 000004
【図３】
2015104052.tif 000005
【図４】
2015104052.tif 000006
【図５】
2015104052.tif 000007
【図６】
2015104052.tif 000008
【図７】
2015104052.tif 000009
【図８】
2015104052.tif 000010
【図９】
2015104052.tif 000011
【図１０】
2015104052.tif 000012
【図１１】
2015104052.tif 000013
【図１２】
2015104052.tif 000014